(57)【要約】【課題】  簡単な構造を有するとともに簡単に組み立てることが可能で、且つ、様々なサイズの容器をがたつかないように収容保持可能で、容器の高さ位置を調節することも可能な容器収容装置を提供する。【解決手段】  容器(6)を挿入して収容する収容本体部(10,40)と、前記収容本体部(10,40)の収容空間部(1a,2a)に進退可能な少なくとも１つの支持・載置部材(20,20a,30,50,60)とを有し、前記支持・載置部材(20,20a,30,50,60)は、前記収容本体部(10,40)に対し、前記容器(6)の出入方向に対して交差する交差方向に移動可能に配され、前記支持・載置部材(20,20a,30,50,60)は、前記容器(6)を前記交差方向に沿って支持して押さえる側方支持部と、前記容器(6)を載置する載置部とを有することを特徴とする容器収容装置。【選択図】図１
2019142450.tif 000002
【特許請求の範囲】
【請求項１】
容器を内部に収容可能な容器収容装置において、
一端部に設けられた開口部から前記容器を挿入して収容する収容本体部と、前記収容本体部の収容空間部に進退可能な少なくとも１つの支持・載置部材とを有し、
前記支持・載置部材は、前記収容本体部に対し、前記容器の出入方向に対して交差する交差方向に移動可能に配され、
前記支持・載置部材は、前記容器を前記交差方向に沿って支持して押さえる側方支持部と、前記容器を載置する載置部とを有する、
ことを特徴とする容器収容装置。
【請求項２】
少なくとも１つの前記支持・載置部材が、前記収容空間部の下半部の領域に配されていることを特徴とする請求項１記載の容器収容装置。
【請求項３】
複数の前記支持・載置部材が、前記出入方向の異なる高さ位置に配されていることを特徴とする請求項１又は２記載の容器収容装置。
【請求項４】
前記支持・載置部材は、前記収容本体部に対し、前記収容本体部に連結される連結部を中心に回動可能に配されていることを特徴とする請求項１〜３のいずれかに記載の容器収容装置。
【請求項５】
前記支持・載置部材は、前記収容本体部に対し、前記交差方向に直線的に移動可能に配されていることを特徴とする請求項１〜４のいずれかに記載の容器収容装置。
【発明の詳細な説明】
【技術分野】
【０００１】
本発明は、様々なサイズの容器を収容可能な容器収容装置に関する。
【背景技術】
【０００２】
自動車等の車両には、ドリンク缶やペットボトルなどの飲料容器を収容して保持する容器収容装置（ドリンクホルダーとも言う）が予め装備されている。また、容器収容装置は、車両の所定位置に後から取り付けられて使用されることもある。
【０００３】
このような容器収容装置に関する発明が、例えば実開平１−９０６３１号公報（特許文献１）に開示されている。この特許文献１に記載されている容器収容装置は、飲料容器などの容器を収容して保持する筒状ホルダーと、その筒状ホルダーの外周に配される筒状サポートドラムとを有する。また、筒状ホルダーは、その筒部に穿設された複数のスリットを有しており、筒状サポートドラムは、筒状ホルダーのスリットに挿通する複数の弾性支持片を有する。更に、特許文献１の容器収容装置は、筒状ホルダー及び筒状サポートドラムの一方が他方に対して相対的に回転することにより、弾性支持片が筒状ホルダー内部に突出する突出長さを可変調節することが可能に形成されている。
【０００４】
このような特許文献１の容器収容装置であれば、筒状ホルダー内部に突出する弾性支持片の突出長さを調節することができるため、径の異なる缶やカップをがたつくことなく一様に押圧保持することができる。更に特許文献１には、容器収容装置の保持部底面に、高さ方向に可動する（上下動する）ねじ棒が設けられた例も図示されている。これにより、容器収容装置内に保持される缶やカップの高さ位置も調節することが可能となる。
【先行技術文献】
【特許文献】
【０００５】
【特許文献１】実開平１−９０６３１号公報
【発明の概要】
【発明が解決しようとする課題】
【０００６】
特許文献１に記載されている容器収容装置によれば、上述したように、径の異なる缶やペットボトルなどの飲料容器を安定して収容保持でき、また、飲料容器を保持する高さも自由に調整することができるものの、弾性支持片の突出長さを調節する機構が複雑に形成されている。また、飲料容器の高さ調節が可能な構造（機構）を追加する場合には、容器収容装置全体の構造が更に複雑化する。このため、容器収容装置を形成する部品のコスト増大や、装置の組み立て工数の増加が生じ、その結果、製造コストの高騰を招いていた。
【０００７】
本発明は上記従来の課題に鑑みてなされたものであって、その目的は、簡単な構造を有するとともに簡単に組み立てることが可能で、且つ、様々なサイズの容器をがたつかないように収容保持可能で、容器の高さ位置を調節することも可能な容器収容装置を提供することにある。
【課題を解決するための手段】
【０００８】
上記目的を達成するために、本発明により提供される容器収容装置は、容器を内部に収容可能な容器収容装置において、一端部に設けられた開口部から前記容器を挿入して収容する収容本体部と、前記収容本体部の収容空間部に進退可能な少なくとも１つの支持・載置部材とを有し、前記支持・載置部材は、前記収容本体部に対し、前記容器の出入方向に対して交差する交差方向に移動可能に配され、前記支持・載置部材は、前記容器を前記交差方向に沿って支持して押さえる側方支持部と、前記容器を載置する載置部とを有することを最も主要な特徴とするものである。
【０００９】
このような本発明の容器収容装置において、少なくとも１つの前記支持・載置部材が、前記収容空間部の下半部の領域に配されていることが好ましい。
また、複数の前記支持・載置部材が、前記出入方向の異なる高さ位置に配されていることが好ましい。
【００１０】
更に、前記支持・載置部材は、前記収容本体部に対し、前記収容本体部に連結される連結部を中心に回動可能に配されていることが好ましい。
また、前記支持・載置部材は、前記収容本体部に対し、前記交差方向に直線的に移動可能に配されていても良い。
【発明の効果】
【００１１】
本発明に係る容器収容装置は、一端部（上端部）に設けられた開口部から容器（飲料容器）を挿入して収容保持する収容本体部と、収容本体部の収容空間部に進退可能な少なくとも１つの支持・載置部材とを有する。この支持・載置部材は、収容本体部に対し、容器の出入方向に対して交差する交差方向に移動可能に配されている。また、支持・載置部材は、容器を交差方向から支持して押さえる側方支持部と、容器を載置する載置部とを有する。
【００１２】
このような本発明の容器収容装置は、収容本体部と、少なくとも１つの支持・載置部材とを用いる簡単な構造で形成されており、また、収容本体部に対して支持・載置部材を嵌め込み等の単純な作業で組み付けることによって、容器収容装置を簡単に組み立てることができる。
【００１３】
また本発明の容器収容装置では、支持・載置部材を、収容本体部に対し、収容本体部に容器が挿入されている状態で上記交差方向に移動させることによって、支持・載置部材の側方支持部が、収容本体部に挿入された容器に、交差方向から近付いて当接する。これによって、支持・載置部材の側方支持部で容器を側方側から押さえて支持することができる。従って、収容本体部に挿入される容器（飲料容器）が様々なサイズを有していても、収容本体部内の容器を、支持・載置部材によって、支持・載置部材の進入方向に安定して押さえ付けることができるため、収容本体部内で容器をがたつかないように保持することができる。
【００１４】
更に、本発明の支持・載置部材は、容器を載置する載置部をその上端部に有している。このため、支持・載置部材を、収容本体部に対し、収容本体部に容器が挿入される前の状態で上記交差方向に移動させることによって、収容本体部内の内部空間に支持・載置部材が進入して、容器が挿入される内部空間の一部が支持・載置部材によって制限される。これにより、支持・載置部材が飛び出ている収容本体部内に容器が挿入されたときに、収容本体部の底面よりも上方に位置する支持・載置部材の載置部で、容器を載置（下面側から支持）できるため、本発明の容器収容装置では、支持・載置部材を収容本体部内予め進入させるか否かによって、収容本体部内で容器の高さ位置を調節することが可能となる。
【００１５】
このような本発明の容器収容装置において、少なくとも１つの支持・載置部材が、収容空間部の下半部の領域のみに配されている。このように収容空間部の下半部の領域に支持・載置部材が取り付けられていれば、その支持・載置部材の側方支持部によって、容器の下端部を収容本体部内で側面側から安定して支持し、容器をがたつかないように保持することができる。また、支持・載置部材の載置部によって、容器の高さ位置を適切な範囲、例えば容器の高さ寸法の半分以上が収容本体部に挿入される範囲で、容易に調節することが可能となる。
【００１６】
また本発明では、複数の支持・載置部材が、上記出入方向の異なる高さ位置に離間して配されている。これにより、複数のうちの１つ以上の支持・載置部材によって、収容本体部内で容器を側面側から更に安定して支持でき、容器のがたつきをより効果的に防止できる。また、複数の支持・載置部材によって、容器の高さ位置を複数段階で調節することや、１つの支持・載置部材で容器を載置して容器の高さ位置を調節するとともにその他の支持・載置部材で容器を側面側から保持すること等が可能となる。
【００１７】
更に、本発明の支持・載置部材は、収容本体部に対し、収容本体部に連結される連結部を中心に回動可能に配されている。これにより、支持・載置部材を収容本体部に容易に組み付けることができるとともに、支持・載置部材を、収容本体部に対し、上記交差方向に沿って容易に進退させることができる。
【００１８】
一方、本発明において、支持・載置部材は、収容本体部に対し、交差方向に直線的に移動可能に配されていても良い。これによっても、支持・載置部材を収容本体部に容易に組み付けることができるとともに、支持・載置部材を、収容本体部に対し、上記交差方向に沿って容易に進退させることができる。
【図面の簡単な説明】
【００１９】
【図１】本発明の実施例１に係る容器収容装置が車両のインストルメントパネルに設けられた状態を模式的に示す斜視図である。
【図２】容器収容装置の分解斜視図である。
【図３】容器収容装置を示す斜視図である。
【図４】容器収容装置を斜め前方側から見た斜視図である。
【図５】容器収容装置で容器を保持した状態を示す斜視図である。
【図６】容器収容装置で容器の高さ位置を調節するとともに容器を保持した状態を示す斜視図である。
【図７】図６の状態を容器収容装置の上方側から見た平面図である。
【図８】図７のＶＩＩＩ−ＶＩＩＩ線における断面図である。
【図９】実施例１の変形例に係る容器収容装置の分解斜視図である。
【図１０】本発明の実施例２に係る容器収容装置のみを示す斜視図である。
【図１１】容器収容装置の分解斜視図である。
【発明を実施するための形態】
【００２０】
以下、本発明の好適な実施の形態について、実施例を挙げて図面を参照しながら詳細に説明する。なお、本発明は、以下で説明する実施例の形態に限定されるものではなく、本発明と実質的に同一な構成を有し、かつ、同様な作用効果を奏しさえすれば、多様な変更が可能である。
【００２１】
例えば、以下の実施例で説明する容器収容装置は、車両のインストルメントパネルの所定位置に予め設けられている（装備されている）場合について説明する。しかし、本発明の容器収容装置が設けられる位置は特に限定されるものではなく、また、車両以外のものに使用されても良い。また、本発明は、例えばインストルメントパネルに設けられたレジスター（風吹出し口）に後から取り付けて使用するタイプの容器収容装置に対しても同様に適用できる。
【実施例１】
【００２２】
図１は、本実施例１に係る容器収容装置が車両のインストルメントパネルに設けられた状態を模式的に示す斜視図である。図２は、容器収容装置の分解斜視図である。図３は、容器収容装置を示す斜視図であり、図４は容器収容装置を斜め前方側から見た斜視図である。
【００２３】
なお、以下の容器収容装置に関する説明において、上下方向とは、容器（飲料容器）を容器収容装置の収容本体部に挿入し、また収容本体部から抜出する方向（出入方向）、又は車両の高さ方向（車高方向）を言う。前後方向とは、車両の長さ方向（車長方向）を言い、特に自動車が前進する方向を前方とし、後退する方向を後方とする。左右方向とは、車幅方向を言い、運転者が前方を向いたときの左側及び右側の方向を、それぞれ左方及び右方とする。
【００２４】
本実施例１の容器収容装置１は、車両のインストルメントパネル５の所定位置に、予め一体的に設けられている。この場合、容器収容装置１の後述する収容本体部１０は、インストルメントパネル５の内部に配されており、収容本体部１０が外部から見えないように（又は見え難いように）インストルメントパネル５によって覆われている。なお、本実施例１において、容器収容装置１は、収容本体部１０が外部に露呈するようにインストルメントパネル５に設けられていても良い。
【００２５】
インストルメントパネル５の上面には、ドリンク缶などの飲料容器６（以下、単に容器６という）を容器収容装置１に収容する際に、その容器６を挿通させる挿通開口部５ａが形成されている。また、インストルメントパネル５の後面（乗員対向面）には、容器収容装置１の後述する第１操作レバー２３及び第２操作レバー３３を挿通させるとともに左右方向に移動させることが可能な２つのレバー挿通スリット５ｂが左右方向に沿って互いに平行に形成されている。
【００２６】
本実施例１の容器収容装置１は、容器６を挿入して収容する収容本体部１０と、収容本体部１０の下半部に組み付けられる第１支持・載置部材２０と、収容本体部１０の上半部に組み付けられる第２支持・載置部材３０とを有する。ここで、収容本体部１０の下半部及び上半部とは、収容本体部１０における上下方向の中心位置を基準にして、その中心位置よりも下側に配される部分と、中心位置よりも上側に配される部分である。このような容器収容装置１における収容本体部１０、第１支持・載置部材２０、及び第２支持・載置部材３０は、それぞれ合成樹脂により形成されているが、本発明において、容器収容装置の各部品の材質は特に限定されず、任意に変更することが可能である。
【００２７】
収容本体部１０は、略四角柱状の形態を有しており、収容本体部１０を上方から見たときに、４つの角部が湾曲状に形成された略正方形を呈する。この収容本体部１０は、例えば図２に示すように、容器６を載置可能な底面部１１と、底面部１１の前側縁部から上下方向に沿って立設される前壁部１２及び後壁部１３と、底面部１１の左右縁部から上下方向に沿って立設される左側壁部１４及び右側壁部１５と、前壁部１２から前方に突出するとともに第１支持・載置部材２０及び第２支持・載置部材３０を回動可能に連結する取付突片部１６とを有する。
【００２８】
この場合、収容本体部１０の前壁部１２、後壁部１３、左側壁部１４、及び右側壁部１５は、底面部１１からの上下方向における寸法（高さ寸法）を同じ大きさにして形成されている。なお本発明では、収容本体部１０の前壁部１２、後壁部１３、左側壁部１４、及び右側壁部１５は、その高さ寸法を相互に異ならせて形成されていても良く、又は、その高さ寸法をそれぞれ変化させて形成されていても良い。
【００２９】
収容本体部１０の内側には、底面部１１、前壁部１２、後壁部１３、左側壁部１４、及び右側壁部１５に囲まれた容器収容装置１の収容空間部（内部空間部）１ａが形成されている。この収容空間部１ａにおける上下方向に直交する断面は、４つの角部が湾曲状に形成された略正方形の形状を有しており、また、一般的に販売されているドリンク缶やペットボトルなどを収容可能な大きさを備える。この収容本体部１０の上端部には、容器６を収容空間部１ａに挿入し、また容器６を収容空間部１ａから抜出するための上部開口部が設けられている。
【００３０】
また、収容本体部１０には、第１支持・載置部材２０を嵌入することが可能な第１嵌入切り込み部１７と、第２支持・載置部材３０を嵌入することが可能な第２嵌入切り込み部１８とが設けられている。第１嵌入切り込み部１７は、収容本体部１０の下半部に、より具体的には、収容本体部１０の全体に対する底面部１１からの高さ位置が５％以上４５％以下、好ましくは１０％以上４０％以下となる領域内に、所定の高さ寸法（切り込み間隔）を有して形成されている。
【００３１】
この第１嵌入切り込み部１７は、取付突片部１６の位置から、収容本体部１０を上方から見たときに反時計回りの方向に向けて、前壁部１２の左側部分、左側壁部１４、及び後壁部１３にかけて連続的に形成されている。一方、収容本体部１０の右側壁部１５と、前壁部１２の右側部分とには、第１嵌入切り込み部１７が形成されておらず、第１支持・載置部材２０を当接させて第１支持・載置部材２０の回動領域を制限する第１当接壁部１７ａが設けられている。
【００３２】
第２嵌入切り込み部１８は、収容本体部１０の上半部に、より具体的には、収容本体部１０の全体に対する底面部１１からの高さ位置が５５％以上９５％以下、好ましくは６０％以上９０％以下となる領域内に、所定の高さ寸法（切り込み間隔）を有して形成されている。この第２嵌入切り込み部１８は、取付突片部１６の位置から、収容本体部１０を上方から見たときに時計回りの方向に向けて、前壁部１２の右側部分、右側壁部１５、及び後壁部１３にかけて連続的に形成されている。一方、収容本体部１０の左側壁部１４と、前壁部１２の左側部分とには、第２嵌入切り込み部１８が形成されておらず、第２支持・載置部材３０を当接させて第２支持・載置部材３０の回動領域を制限する第２当接壁部１８ａが設けられている。
【００３３】
更に、収容本体部１０には、収容本体部１０の強度を確保するために、第１嵌入切り込み部１７及び第２嵌入切り込み部１８を上下からそれぞれ挟むようにして、外側に向けて突出する上下のフランジ部１９が設けられている。これらの上下フランジ部１９によって、収容本体部１０の強度が高められるとともに、第１支持・載置部材２０及び第２支持・載置部材３０を収容本体部１０に組み付けたときに、第１支持・載置部材２０及び第２支持・載置部材３０が、収容本体部１０に対して、がたつくことを防止又は抑制している。
【００３４】
更に上述のような上下フランジ部１９が設けられていることによって、第１支持・載置部材２０や第２支持・載置部材３０が収容本体部１０に摺接する面積を、例えばフランジ部１９が設けられていない場合に比べて大きくし、それにより、収容本体部１０に対する第１支持・載置部材２０及び第２支持・載置部材３０の摩擦抵抗を高めることができる。その結果、例えば第１支持・載置部材２０や第２支持・載置部材３０を収容本体部１０に対して回動させてから所望の位置で停止させたときに、第１支持・載置部材２０や第２支持・載置部材３０をその停止位置で安定して保持することが可能となる。
【００３５】
収容本体部１０の取付突片部１６は、前壁部１２から前方に突出して形成されている。取付突片部１６は、第１支持・載置部材２０及び第２支持・載置部材３０のそれぞれについて、上下一対ずつ設けられている。また、各取付突片部１６には、第１支持・載置部材２０又は第２支持・載置部材３０を回動自在に係合させる図示しない係合凸部（又は係合凹部）が形成されている。なお、本発明において、収容本体部１０は、一般的な容器（飲料容器）を内部に収容することができれば、様々な形状や様々な大きさで形成することが可能である。
【００３６】
下側の第１支持・載置部材２０は、内側に略四角形状の開口部２２を有するように枠状に形成された第１枠体部２１と、第１枠体部２１の右後角部から右斜め後方に延出する第１操作レバー２３と、第１枠体部２１の後述する前辺部２１ａから突出するとともに収容本体部１０の取付突片部１６に係合して連結される第１連結部２４とを有する。
【００３７】
本実施例１の第１枠体部２１は、第１支持・載置部材２０を上方から見たときに、４つの角部が湾曲状に形成された略正方形を呈する口字状の形状に形成されている。この第１枠体部２１は、左右方向に沿って配される前辺部２１ａ及び後辺部２１ｂと、前後方向に沿って配される左側辺部２１ｃ及び右側辺部２１ｄとを有する。この場合、第１枠体部２１の前辺部２１ａ、後辺部２１ｂ、左側辺部２１ｃ、及び右側辺部２１ｄは、収容本体部１０の上述した第１嵌入切り込み部１７に、収容本体部１０の側方方向（言い換えると、上下方向に直交する直交方向）から嵌入可能な一定の上下方向の高さ寸法を有する。
【００３８】
また、第１枠体部２１は、その内側開口部２２の上下方向に直交する断面が収容本体部１０の収容空間部１ａと同じ形状及び大きさを有するように形成されている。なお、本発明において、第１支持・載置部材２０の第１枠体部２１は、上方から見たときに口字状の形状ではなく、例えば第１枠体部２１の一部に切れ目（切り込み部）が設けられた形状に形成されていても良いし、又は、前辺部２１ａ、後辺部２１ｂ、及び左側辺部２１ｃを有するコ字状の形状に形成されていても良い。
【００３９】
第１操作レバー２３は、第１枠体部２１の後辺部２１ｂと右側辺部２１ｄ間に配される湾曲状の角部から右斜め後方に向けて舌片状に突出している。この第１操作レバー２３は、容器収容装置１がインストルメントパネル５に装着されている状態で、インストルメントパネル５に設けたレバー挿通スリット５ｂから外側に飛び出すことが可能な突出長さをもって第１枠体部２１に一体的に形成されている。
【００４０】
第１支持・載置部材２０の第１連結部２４は、第１枠体部２１の前辺部２１ａにおける左右方向の中央部から前方に向けて突出している。この第１連結部２４の上端部及び下端部には、収容本体部１０の取付突片部１６に係合させる図示しない被係合凹部（又は被係合凸部）が形成されている。この第１連結部２４を収容本体部１０の取付突片部１６に係合させることにより、第１支持・載置部材２０を、収容本体部１０に対して、第１連結部２４を中心にして上下方向に直交する直交方向（又は、上下方向に交差する交差方向）に回動可能に組み付けることができる。これによって、第１支持・載置部材２０を、収容本体部１０の収容空間部１ａに対して円滑に進退させることができる。
【００４１】
上側の第２支持・載置部材３０は、内側に開口部３２を有するように枠状に形成された第２枠体部３１と、第２枠体部３１の左後角部から左斜め後方に延出する第２操作レバー３３と、第２枠体部３１の前辺部から突出するとともに収容本体部１０の取付突片部１６に係合して連結される第２連結部３４とを有する。
【００４２】
この第２支持・載置部材３０は、第１支持・載置部材２０に対して、左右対称的な形態で形成されている。このため、第２枠体部３１、第２操作レバー３３、及び第２連結部３４については、第１支持・載置部材２０の第１枠体部２１、第１操作レバー２３、及び第１連結部２４と実質的にそれぞれ同様に形成されているため、その詳しい説明を省略する。
【００４３】
上述のような第１支持・載置部材２０及び第２支持・載置部材３０は、収容本体部１０の第１嵌入切り込み部１７及び第２嵌入切り込み部１８に、上下方向に対して直交する直交方向からそれぞれ嵌め入れるとともに、第１支持・載置部材２０の第１連結部２４と、第２支持・載置部材３０の第２連結部３４とをそれぞれ収容本体部１０の取付突片部１６に係合させる。
【００４４】
これにより、第１支持・載置部材２０及び第２支持・載置部材３０が、収容本体部１０に対し、上下方向に直交する直交方向に回動可能に組み付けられて、本実施例１の容器収容装置１が形成される。この場合、第１支持・載置部材２０と第２支持・載置部材３０は、収容本体部１０の互いに異なる高さ位置に取り付けられる。
【００４５】
上述のように、本実施例１の容器収容装置１は、略四角柱状に形成された有底の収容本体部１０に対し、枠型の第１支持・載置部材２０及び第２支持・載置部材３０を嵌め込むという単純な作業で組み付けることによって、簡単に組み立てられている。また、このような容器収容装置１は、収容本体部１０、第１支持・載置部材２０、及び第２支持・載置部材３０という３つの部品により形成されており、例えば複数のスリットを備えた筒状ホルダーと、複数の弾性支持片を備えた筒状サポートドラムとを有する特許文献１の容器収容装置１に比べて、簡単な構造で形成されている。このため、容器収容装置１を低コストで製造することができる。
【００４６】
このような本実施例１の容器収容装置１において、第１枠体部２１の内側開口部２２と第２枠体部３１の内側開口部３２とは、上下方向に直交する断面が収容本体部１０の収容空間部１ａと同じ形状及び大きさを有するように形成されている。このため、第１支持・載置部材２０及び第２支持・載置部材３０が、収容本体部１０の上述した第１当接壁部１７ａ及び第２当接壁部１８ａにそれぞれ当接した状態において（図３及び図４を参照）、第１枠体部２１及び第２枠体部３１の各内周面と、収容本体部１０の内壁面とは、段差がない平坦面（又は段差が小さい略平坦面）に形成される。
【００４７】
更に、第１支持・載置部材２０と第２支持・載置部材３０とは、それぞれ収容本体部１０に当接させた状態から上記直交方向にそれぞれ回動させる際に、互いに反対方向に向けて回動するように配されている。すなわち、例えば容器収容装置１を上方から見たときに、第１支持・載置部材２０は、収容本体部１０の第１当接壁部１７ａに当接した状態から、第１連結部２４を中心に時計回り方向に回動することが可能である。これに対し、第２支持・載置部材３０は、収容本体部１０の第２当接壁部１８ａに当接した状態から、第２連結部３４を中心に半時計回り方向に回動することが可能である。このため、第１支持・載置部材２０と第２支持・載置部材３０とは、容器収容装置１の平面視において、収容本体部１０に対して回動可能な可動領域（言い換えると、移動可能な移動領域）が互いに異なる。
【００４８】
また本実施例１では、第１支持・載置部材２０を、収容本体部１０の第１当接壁部１７ａに当接した状態から時計回り方向に回動させることにより、第１枠体部２１における前辺部２１ａの一部と右側辺部２１ｄとを収容本体部１０の収容空間部（内部空間部）１ａ内に右側から進入させることができる。また、その進入した第１支持・載置部材２０を反時計回り方向に回動させることにより、収容空間部１ａから退出させて収容本体部１０の第１当接壁部１７ａに当接させることができる。
【００４９】
一方、第２支持・載置部材３０を、収容本体部１０の第２当接壁部１８ａに当接した状態から反時計回り方向に回動させることにより、第２枠体部３１における前辺部の一部と左側辺部とを収容本体部１０の収容空間部１ａ内に左側から進入させることができる。また、その進入した第２支持・載置部材３０を時計回り方向に回動させることにより、収容空間部１ａから退出させて収容本体部１０の第２当接壁部１８ａに当接させることができる。
【００５０】
次に、上述のような構造を有する本実施例１の容器収容装置１に、飲料容器６として、例えば円柱状のドリンク缶６、特に上下方向の高さ寸法が比較的大きな長細いドリンク缶６を挿入して収容する場合について説明する。
ドリンク缶６を容器収容装置１に挿入する前に、先ず、容器収容装置１に設けられた下側の第１操作レバー２３と上側の第２操作レバー３３とをそれぞれ操作して（動かして）、容器収容装置１の第１支持・載置部材２０と第２支持・載置部材３０とを、収容本体部１０の第１当接壁部１７ａ及び第２当接壁部１８ａにそれぞれ当接する当接位置に回動させて保持する。
【００５１】
このとき、下側の第１操作レバー２３と上側の第２操作レバー３３とは、それぞれインストルメントパネル５から、レバー挿通スリット５ｂを介して後方に飛び出しているため、第１操作レバー２３及び第２操作レバー３３の操作を容易に行うことができる。また、第１支持・載置部材２０及び第２支持・載置部材３０をそれぞれ上記当接位置に保持したときに、第１操作レバー２３は、下側レバー挿通スリット５ｂの右側端部に位置し、第２操作レバー３３は、上側レバー挿通スリット５ｂの左側端部に位置する。
【００５２】
続いて、ドリンク缶６を、インストルメントパネル５に設けた挿通開口部５ａを介して、容器収容装置１内に上方から下方に向けて挿入する。このとき、第１支持・載置部材２０及び第２支持・載置部材３０がそれぞれ上記当接位置に配されていることにより、容器収容装置１の収容空間部（内部空間部）１ａに第１枠体部２１及び第２枠体部３１が進入しておらず、また、収容本体部１０の内壁面と第１当接壁部１７ａ及び第２当接壁部１８ａの内周面とが、段差のない平坦面に（又は段差が小さい略平坦面に）形成されている。このため、ドリンク缶６を、容器収容装置１内に容易に且つ円滑に挿入することができる。
【００５３】
ドリンク缶６を容器収容装置１内に挿入して収容本体部１０の底面部１１に載置し、その後、上側の第２操作レバー３３を、例えば図１に仮想線で示すように右側に向けて移動させる。これにより、容器収容装置１を上方から見たときに、第２支持・載置部材３０を、収容本体部１０に対し、第２連結部３４を中心として、上下方向に直交する直交方向に沿って反時計回り方向に回動させることができる。それによって、第２枠体部３１における前辺部の一部と左側辺部とを、容器収容装置１の収容空間部１ａ内に左側から上記直交方向に沿って進入させることができる。
【００５４】
更に、この第２支持・載置部材３０の第２枠体部３１を容器収容装置１の収容空間部１ａに深く進入させることにより、その第２枠体部３１の前辺部及び左側辺部の一方又は両方を、収容本体部１０の底面部１１に載置したドリンク缶６の側面部に、左側から押し当てることができる。この場合、第２枠体部３１のドリンク缶６に当接する部分が、ドリンク缶６を上記直交方向から（具体的には左側から）支持して押さえる側方支持部となる。
【００５５】
また、例えばドリンク缶６を容器収容装置１内に挿入した際にドリンク缶６が例えば収容本体部１０の底面部１１における略中央位置に載置された場合等では、第２枠体部３１の一部をドリンク缶６の側面部に当接させた状態で第２支持・載置部材３０を回動させる。これにより、第２枠体部３１の一部でドリンク缶６を右側に向けて押圧し、ドリンク缶６を収容本体部１０の右側壁部１５に近付くように移動させることができる。
【００５６】
そして、第２枠体部３１でドリンク缶６を移動させて、ドリンク缶６を収容本体部１０の右側壁部１５に当接させる（又は接近させる）ことにより、例えば図５に示したように、ドリンク缶６を、第２支持・載置部材３０の回動方向（又は進入方向）において、第２枠体部３１の一部と収容本体部１０の右側壁部１５とで支持（挟持）して押さえること、又は第２枠体部３１の一部と収容本体部１０の右側壁部１５とが接近して動き難くすることができる。これにより、ドリンク缶６を、容器収容装置１内でがたつかないように保持できるため、ドリンク缶６内から液体がこぼれないように（又はこぼれ難いように）することができる。
【００５７】
なお、上述の場合では、長細いドリンク缶６を収容本体部１０内に挿入した後、上側の第２支持・載置部材３０を当接状態から回動させることによって、ドリンク缶６を第２枠体部３１で押さえるようにしている。しかし本実施例１では、長細いドリンク缶６を収容本体部１０に挿入した後、下側の第１支持・載置部材２０を当接状態から回動させることによって、ドリンク缶６を第１枠体部２１で押さえるようにしても良い。或いは、長細いドリンク缶６を収容本体部１０に挿入した後、下側の第１支持・載置部材２０と上側の第２支持・載置部材３０の両方を当接状態から回動させることによって、ドリンク缶６を、第１枠体部２１と第２枠体部３１とによって挟持して押さえることも可能である。
【００５８】
次に、本実施例１の容器収容装置１にドリンク缶６を収容したときに、ドリンク缶６を上記の場合よりも高い位置に保持する場合について説明する。
【００５９】
この場合、ドリンク缶６を容器収容装置１に挿入する前に、先ず、容器収容装置１に設けられた下側の第１操作レバー２３を操作し、第１枠体部２１の一部を容器収容装置１の収容空間部１ａ内に進入させた状態で保持する。このとき、例えば図６及び図７等に示すように、容器収容装置１を上方から見た場合に、第１枠体部２１の一部が、容器収容装置１の収容空間部（内部空間部）１ａに表れるように、好ましくは収容空間部１ａの右側の領域に表れるように第１操作レバー２３を操作して保持する。一方、第２支持・載置部材３０は、上側の第２操作レバー３３をレバー挿通スリット５ｂの左側端部の位置に移動させることにより、上述した当接位置に保持される。
【００６０】
続いて、ドリンク缶６を、インストルメントパネル５に設けた挿通開口部５ａを介して、容器収容装置１内に上方から下方に向けて挿入する。このとき、上側の第２支持・載置部材３０の第２枠体部３１は容器収容装置１の収容空間部１ａに進入していないものの、下側の第１支持・載置部材２０における第１枠体部２１の一部が、容器収容装置１の収容空間部１ａ（特に収容空間部１ａの左側の領域）に飛び出している。このため、例えば図８に断面図を示すように、挿入したドリンク缶６を、第１枠体部２１の一部に載置することができる。
【００６１】
この場合、第１枠体部２１のドリンク缶６を載置する部分が第１枠体部２１の載置部となる。このようにドリンク缶６を第１枠体部２１の載置部に載置することにより、ドリンク缶６の上端部を収容本体部１０から上方に大きく露出させた状態で、ドリンク缶６を収容本体部１０内に収容することができる。これによって、収容本体部１０に収容されたドリンク缶６を取り出すときに、ドリンク缶６を取り出し易くすることができる。
【００６２】
ドリンク缶６を第１枠体部２１の載置部に載置した後、上側の第２操作レバー３３を右側に向けて移動させる。これにより、上述したように第２枠体部３１の一部を、容器収容装置１の収容空間部１ａ内に進入させて、ドリンク缶６の側面部に押し当てることができる。その後、更に第２支持・載置部材３０を回動させることにより、ドリンク缶６を、第２枠体部３１の一部と収容本体部１０の右側壁部１５とで支持（挟持）して押さえること、又は第２枠体部３１の一部と収容本体部１０の右側壁部１５とが接近して動き難くすることができる。これによって、第１枠体部２１上に載置されたドリンク缶６を、容器収容装置１内でがたつかないように安定して保持することができる。
【００６３】
以上のように、本実施例１の容器収容装置１では、第１支持・載置部材２０の第１枠体部２１及び／又は第２支持・載置部材３０の第２枠体部３１によって、ドリンク缶６を側面側から押さえて容器収容装置１内でがたつかないように安定して保持することができる。
【００６４】
また、容器収容装置１内に収容する容器の形状や大きさが、上述のようなドリンク缶６と異なる場合でも（例えば、容器が缶ボトル、ペットボトル、牛乳パック、紙パック、又は紙コップのような形状を有する場合でも）、収容本体部１０内に容器６を収容できれば、第１支持・載置部材２０と第２支持・載置部材３０の位置を適切に調節することによって、その容器６を容器収容装置１内でがたつかないように安定して保持することができる。更に、第１支持・載置部材２０及び第２支持・載置部材３０の操作によっては、飲料容器６以外の物品、例えばスマートフォンや携帯電話などの様々な形状の物品を、動かないように安定して保持することも可能である。
【００６５】
その上、本実施例１の容器収容装置１では、第１支持・載置部材２０の位置を調節することにより、容器収容装置１内に挿入される容器（ドリンク缶）６を、収容本体部１０の底面部１１に載置するのか、第１支持・載置部材２０の第１枠体部２１に載置するのかを選択することができる。また、第２支持・載置部材３０の位置を調節することにより、第２支持・載置部材３０の第２枠体部３１に容器６を載置することも可能である。このように、本実施例１の容器収容装置１によれば、第１支持・載置部材２０及び第２支持・載置部材３０によって、容器収容装置１内での容器（ドリンク缶）６の高さ位置を容易に調節することができる。
【００６６】
なお、上述した実施例１の容器収容装置１は、互いに左右対称的な形状を有する第１支持・載置部材２０及び第２支持・載置部材３０を収容本体部１０に取り付けることによって形成されている。しかし本発明では、上述した第１支持・載置部材２０の代わりに、図９に示した変形例に係る第１支持・載置部材２０ａを用いて、容器収容装置が形成されていても良い。
【００６７】
図９に示した第１支持・載置部材２０ａは、内側に開口部２２を有するように枠状に形成された第１枠体部２１と、第１枠体部２１の右後角部から右斜め後方に延出する第１操作レバー２３と、第１枠体部２１の前辺部２１ａから突出する第１連結部２４と、第１枠体部２１の右前角部及び左後角部に設けられた補助載置部２６とを有する。この場合、変形例に係る第１支持・載置部材２０ａの第１枠体部２１、第１操作レバー２３、及び第１連結部２４は、図２等に示した実施例１の第１支持・載置部材２０と同様に形成されている。
【００６８】
補助載置部２６は、第１枠体部２１の右前角部及び左後角部から外側に膨らむように形成されている。この場合、補助載置部２６の上下方向における高さ寸法は、第１枠体部２１の高さ寸法と同じ大きさである。このため、補助載置部２６の上面及び下面は、第１枠体部２１の上面及び下面と、段差のない同一の平面上に形成されている。また、補助載置部２６が第１枠体部２１から外側に張り出しているため、第１枠体部２１の内側開口部２２における上下方向に直交する断面は、上述した実施例１の第１支持・載置部材２０における内側開口部２２と同じ形状及び大きさを有する。
【００６９】
このような補助載置部２６を有する第１支持・載置部材２０ａを用いて容器収容装置が形成されることにより、容器収容装置内で容器６を第１支持・載置部材２０ａに載置して保持する際に、第１支持・載置部材２０ａに容器６をより安定して載置することができる。更に、実施例１または変形例１では、例えば上述した第２支持・載置部材３０の代わりに、図９に示した第１支持・載置部材２０ａに対して左右対称的な形態を有する第２支持・載置部材（不図示）を用いて、容器収容装置を形成することもできる。
【００７０】
また、上述した実施例１の容器収容装置１では、第１支持・載置部材２０の第１連結部２４及び第２支持・載置部材３０の第２連結部３４が、それぞれ第１枠体部２１又は第２枠体部３１の前辺部における左右方向の中央部に配されているが、本発明では、第１連結部２４及び第２連結部３４を、例えば第１枠体部２１又は第２枠体部３１の左前角部又は右前角部に設けても良い。また、第１連結部２４と第２連結部３４とを、容器収容装置１を上方から見たときに、互いに異なる位置に設けることも可能である。
【実施例２】
【００７１】
図１０は、本実施例２に係る容器収容装置のみを示す斜視図であり、図１１は、容器収容装置の分解斜視図である。
【００７２】
本実施例２の容器収容装置２は、収容本体部４０が外部に露呈するように車両の所定位置に設けられている。なお、本実施例２の容器収容装置２は、前述の実施例１の場合のように収容本体部４０が外部から見えないように（又は見え難いように）、インストルメントパネル５等で覆われた状態で設けられていても良い。
【００７３】
本実施例２の容器収容装置２は、容器６を挿入して収容する収容本体部４０と、収容本体部４０の下半部に組み付けられる第１支持・載置部材５０と、収容本体部４０の上半部に組み付けられる第２支持・載置部材６０とを有する。
【００７４】
収容本体部４０は、略四角柱状の形態を有しており、収容本体部４０を上方から見たときに、４つの角部が湾曲状に形成された略正方形を呈する。この収容本体部４０は、容器６を載置可能な底面部４１と、底面部４１の前側縁部から上下方向に沿って立設される前壁部４２及び後壁部４３と、底面部４１の左右縁部から上下方向に沿って立設される左側壁部４４及び右側壁部４５とを有する。また、収容本体部４０には、底面部４１、前壁部４２、後壁部４３、左側壁部４４、及び右側壁部４５に囲まれた容器収容装置２の収容空間部（内部空間部）２ａが設けられているとともに、収容本体部４０の上端部には上部開口部が設けられている。
【００７５】
また、収容本体部４０は、収容本体部４０の下半部に設けられるとともに、第１支持・載置部材５０を嵌入することが可能な第１嵌入切り込み部４７と、収容本体部４０の上半部に設けられるとともに、第２支持・載置部材６０を嵌入することが可能な第２嵌入切り込み部４８とを有する。この場合、第１嵌入切り込み部４７は、収容本体部４０の左側壁部４４及び右側壁部４５にそれぞれ設けられている。また、第２嵌入切り込み部４８は、収容本体部４０の前壁部４２及び後壁部４３にそれぞれ設けられている。
【００７６】
更に、収容本体部４０の前壁部４２と後壁部４３とには、第１嵌入切り込み部４７を介して収容本体部４０に取り付けられた第１支持・載置部材５０を摺接させる第１摺接壁部４７ａがそれぞれ設けられており、左側壁部４４と右側壁部４５とには、第２嵌入切り込み部４８を介して収容本体部４０に取り付けられた第２支持・載置部材６０を摺接させる第２摺接壁部４８ａがそれぞれ設けられている。
【００７７】
下側の第１支持・載置部材５０は、内側に開口部５２を有するように枠状に形成された第１枠体部５１と、第１枠体部５１に一体的に形成されているとともに、第１枠体部５１の左側辺部及び右側辺部から外側に向けて左右方向に平板状に延出する左右の第１操作部５３とを有する。
【００７８】
本実施例２の第１枠体部５１は、左右方向に沿って配される前辺部及び後辺部と、前後方向に沿って配される左側辺部及び右側辺部とを有する。この場合、第１枠体部５１の前辺部、後辺部、左側辺部、及び右側辺部は、収容本体部４０の上述した第１嵌入切り込み部４７に嵌入可能な一定の高さ寸法を有して形成されている。また、第１枠体部５１の内側開口部５２は、その上下方向に直交する断面を収容本体部４０の収容空間部２ａの断面と同じ形状及び大きさを有するように形成されている。
【００７９】
第１支持・載置部材５０に設けられた左右の第１操作部５３は、第１枠体部５１と同じ高さ寸法を有して、第１枠体部５１から左右方向に所定の長さで延びている。この場合、左右の各第１操作部５３が第１枠体部５１から左右方向に延出する延出長さは、第１枠体部５１の内側開口部５２における左右方向の寸法の５％以上９０％以下、特に３０％以上５０％以下であることが好ましい。
【００８０】
第１操作部５３の延出長さが、第１枠体部５１の内側開口部５２における左右方向の寸法の５％以上、特に３０％以上であることにより、収容本体部４０に対する第１支持・載置部材５０の移動量を大きく確保でき、収容本体部４０に挿入された容器６を第１支持・載置部材５０で側方から安定して支持でき、また、容器６を第１支持・載置部材５０に安定して載置できる。一方、第１操作部５３の延出長さが、第１枠体部５１の内側開口部５２における左右方向の寸法の９０％以下、特に５０％以下であることにより、容器収容装置２をよりコンパクトに、またより軽量に形成することができる。
【００８１】
また、本実施例２の第１支持・載置部材５０には、収容本体部４０に一旦組み付けられた第１支持・載置部材５０が収容本体部４０から外れることを防ぐために、左右の第１操作部５３の上面及び下面の少なくとも一方に、収容本体部４０の左側壁部４４及び右側壁部４５に当接可能な突起部又は突条部が設けられていても良い。
【００８２】
上側の第２支持・載置部材６０は、内側に開口部６２を有するように枠状に形成された第２枠体部６１と、第２枠体部６１の前辺部及び後辺部から外側に向けて前後方向に平板状に延出する前後の第２操作部６３とを有する。この第２支持・載置部材６０は、第１支持・載置部材５０に対して、第２操作部６３が延出する方向が第１操作部５３と異なるものの、それ以外については同様に形成されている。
【００８３】
なお本実施例２において、第１支持・載置部材５０における左右の第１操作部５３と、第２支持・載置部材６０における前後の第２操作部６３とが、何れも平板状の形状に形成されているが、左右の第１操作部５３及び前後の第２操作部６３の形状は限定されるものではない。例えば本実施例２において、左右の第１操作部５３及び前後の第２操作部６３は、第１枠体部５１又は第２枠体部６１からまっすぐ延びる棒状の形状に形成されていても良い。
【００８４】
本実施例２の容器収容装置２は、第１支持・載置部材５０を収容本体部４０の第１嵌入切り込み部４７に左右方向から嵌め入れるとともに、第２支持・載置部材６０を収容本体部４０の第２嵌入切り込み部４８に前後方向から嵌め入れるという単純な作業を行うことによって、簡単に組み立てられている。
【００８５】
また、本実施例２の容器収容装置２において、第１枠体部５１の内側開口部５２と第２枠体部６１の内側開口部６２とは、上下方向に直交する断面が収容本体部４０の収容空間部２ａと同じ形状及び大きさを有するように形成されている。このため、第１支持・載置部材５０及び第２支持・載置部材６０が、その内側開口部５２の位置を収容本体部４０の収容空間部２ａに合わせる位置に保持されることにより、第１枠体部５１及び第２枠体部６１の各内周面と、収容本体部４０の内壁面とは、段差がない平坦面（又は段差が小さい略平坦面）に形成される。
【００８６】
更に、本実施例２の第１支持・載置部材５０と第２支持・載置部材６０は、互いに直交する方向に沿ってスライド可能に配されている。すなわち、第１支持・載置部材５０は、収容本体部４０に対して、左右方向に沿って移動可能に配されており、この第１支持・載置部材５０を左右方向に移動させることによって、第１枠体部５１の一部と、左右の第１操作部５３のうちの一方とを、容器収容装置２の収容空間部（内部空間部）１ａ内に進入させることができる。また、第２支持・載置部材６０は、収容本体部４０に対して、前後方向に沿って移動可能に配されており、この第２支持・載置部材６０を前後方向に移動させることによって、第２枠体部６１の一部と前後の第２操作部６３のうちの一方とを、容器収容装置２の収容空間部（内部空間部）１ａ内に進入させることができる。
【００８７】
上述のような構造を有する本実施例２の容器収容装置２では、収容本体部４０内にドリンク缶などの容器６を挿入した後に、第１支持・載置部材５０及び第２支持・載置部材６０を適切に操作することにより、前述した実施例１の容器収容装置１の場合と同様に、第１支持・載置部材５０の第１枠体部５１及び／又は第２支持・載置部材６０の第２枠体部６１によって容器６を側面側から押さえること、又は第１枠体部５１及び／又は第２枠体部６１を容器６に接近させて容器６を動き難くすることができ、その結果、容器６を容器収容装置２内でがたつかないように安定して保持することができる。
【００８８】
更に、本実施例２の容器収容装置２では、第１支持・載置部材５０の位置を調節することにより、容器収容装置２内に挿入される容器６を、収容本体部４０の底面部４１に載置するのか、第１支持・載置部材５０の第１枠体部５１及び第１操作部５３に載置するのかを選択することができる。また、第２支持・載置部材６０の位置を調節することにより、第２支持・載置部材６０の第２枠体部６１及び第２操作部６３に容器６を載置することも可能である。このように、本実施例２の容器収容装置２によれば、前述した実施例１の容器収容装置１と同様に、第１支持・載置部材５０及び第２支持・載置部材６０によって、容器収容装置２内での容器６の高さ位置を容易に調節することもできる。
【００８９】
なお、実施例１及び実施例２に示した容器収容装置１，２は、上方から見たときの移動領域が互いに異なる第１支持・載置部材２０，５０と第２支持・載置部材３０，６０の２つの支持・載置部材を、収容本体部１０，４０に組み付けることによって形成されている。しかし本発明では、収容本体部に対して、上方から見たときの移動領域が同じ（移動領域が重なる）２つの支持・載置部材を、収容本体部に組み付けることによって容器収容装置が形成されても良い。
【００９０】
また本発明において、容器収容装置に配される支持・載置部材の個数（設置数）は限定されるものではない。本発明の容器収容装置は、例えば、１つの支持・載置部材のみを収容本体部に組み付けて形成されていても良く、また、３つ以上の支持・載置部材を収容本体部の異なる高さ位置に組み付けて形成されていていても良い。なお、本発明では、複数の支持・載置部材を収容本体部に組み付けて容器収容装置を形成することが好ましく、それによって、収容本体部内に収容された容器を、複数の支持・載置部材を用いて安定して支持することが可能となり、また、収容本体部内に収容された容器の高さ位置を複数段階で調節することが可能となる。
【符号の説明】
【００９１】
１                容器収容装置
１ａ              収容空間部（内部空間部）
２                容器収容装置
２ａ              収容空間部（内部空間部）
５                インストルメントパネル
５ａ              挿通開口部
５ｂ              レバー挿通スリット
６                容器（飲料容器）
１０                収容本体部
１１                底面部
１２                前壁部
１３                後壁部
１４                左側壁部
１５                右側壁部
１６                取付突片部
１７                第１嵌入切り込み部
１７ａ              第１当接壁部
１８                第２嵌入切り込み部
１８ａ              第２当接壁部
１９                フランジ部
２０，２０ａ        第１支持・載置部材
２１                第１枠体部
２１ａ              前辺部
２１ｂ              後辺部
２１ｃ              左側辺部
２１ｄ              右側辺部
２２                開口部
２３                第１操作レバー
２４                第１連結部
２６                補助載置部
３０                第２支持・載置部材
３１                第２枠体部
３２                開口部
３３                第２操作レバー
３４                第２連結部
４０                収容本体部
４１                底面部
４２                前壁部
４３                後壁部
４４                左側壁部
４５                右側壁部
４７                第１嵌入切り込み部
４７ａ              第１摺接壁部
４８                第２嵌入切り込み部
４８ａ              第２摺接壁部
５０                第１支持・載置部材
５１                第１枠体部
５２                開口部
５３                第１操作部
６０                第２支持・載置部材
６１                第２枠体部
６２                開口部
６３                第２操作部
【図１】
2019142450.tif 000003
【図２】
2019142450.tif 000004
【図３】
2019142450.tif 000005
【図４】
2019142450.tif 000006
【図５】
2019142450.tif 000007
【図６】
2019142450.tif 000008
【図７】
2019142450.tif 000009
【図８】
2019142450.tif 000010
【図９】
2019142450.tif 000011
【図１０】
2019142450.tif 000012
【図１１】
2019142450.tif 000013